(57)【要約】【課題】室内の物品に付された無線タグの必要な情報を正確に読み取ることができるようにする。【解決手段】試着室１の天井部に設けられ、下方に向けて電波を照射してこの試着室１内に位置する無線タグと通信を行う電界型アンテナ２と、試着室１の登上台に設けられ、上方に向けて電波を照射してこの試着室１内に位置する無線タグと通信を行う磁界型アンテナ３とを具備する。【選択図】図１
2011155614.tif 000002
【特許請求の範囲】
【請求項１】
縦長の室の上部に設けられ、下方に向けて電波を照射してこの室内に位置する無線タグと通信を行う物品情報読取用の電界型アンテナと、
前記室の下部に設けられ、上方に向けて電波を照射してこの室内に位置する無線タグと通信を行う物品情報読取用の磁界型アンテナと
を具備することを特徴とする室用のアンテナ装置。
【請求項２】
縦長の室の下部に設けられ、上方に向けて電波を照射してこの室内に位置する無線タグと通信を行う物品情報読取用の電界型アンテナと、
前記室の上部に設けられ、下方に向けて電波を照射してこの室内に位置する無線タグと通信を行う物品情報読取用の磁界型アンテナと
を具備することを特徴とする室用のアンテナ装置。
【請求項３】
前記電界型のアンテナから放射される電波ビームは、垂直方向に沿って照射され、前記磁界型のアンテンから放射される電波ビームは、水平方向に沿って照射されることを特徴とする請求項１または２記載の室用のアンテナ装置。
【請求項４】
前記電界型アンテナからの出力と前記磁界型アンテナからの出力とを選択的に切換える切換部を備えたことを特徴とする請求項１ないしは３いずれか記載の室用のアンテナ装置。
【発明の詳細な説明】
【技術分野】
【０００１】
本発明は、例えば、各種のアパレルショップに設置される試着室等に用いられる室用のアンテナ装置に関する。
【背景技術】
【０００２】
アパレルショップ等では、その店内に試着室を備え、顧客は、売り場で選択した物品、例えば、スカートやスラックスなどの衣服を試着室内に持ち込んで試着している。
【０００３】
ところで、近時においては、試着室内には、リーダ・ライタの電界型アンテナが設けられ、顧客が試着室内に持ち込んだ物品に付された無線タグの情報を読み取って物品の管理などを行なっている（例えば、特許文献１参照。）。
【発明の概要】
【発明が解決しようとする課題】
【０００４】
しかしながら、従来においては、電界型アンテナを試着室の内側壁の上下方向略中央部に取り付けていたため、電界型アンテナから放射される電波ビームは、顧客の前面、或いは背面側から照射されることになり、顧客の動きによっては、電界型アンテナと物品に取り付けられた無線タグとの間を顧客が遮ってしまい、無線タグの読取精度が低下するという問題があった。
【０００５】
また、電界型アンテナから放射される電波ビームは水平方向に照射されるため、隣接する試着室に漏れてしまい、この隣接する試着室内に置かれた物品に取り付けられた無線タグの情報を読み取って情報を誤読する虞があった。
【０００６】
さらに、垂直方向に放射される範囲は限られているので、試着室内に入った顧客の頭上から足元まで電波ビームを照射することができず、例えば、顧客の足元に置かれた物品の無線タグの情報は読み取ることができないという不都合があった。なお、垂直方向の照射範囲を広げるために電波強度を高めると、水平方向の照射範囲も広がることから、隣接する試着室内に置かれた物品に設けられた無線タグの情報を読んでしまうという問題がより顕著に現れてしまう。
【０００７】
本発明は上記事情に着目してなされたもので、その目的とするところは、物品に付された無線タグの情報を正確に読み取ることができ、また、隣接する室の情報を読むことによる誤読を防止し、しかも、利用者の足元に置かれた物品の無線タグ情報を読み取ることができるようにした試着室用のアンテナ装置を提供することにある。
【課題を解決するための手段】
【０００８】
上記の課題を解決するために、請求項１記載の発明は、縦長の室の上部に設けられ、下方に向けて電波を照射してこの室内に位置する無線タグと通信を行う物品情報読取用の電界型アンテナと、前記室の下部に設けられ、上方に向けて電波を照射してこの室内に位置する無線タグと通信を行う物品情報読取用の磁界型アンテナとを具備することを特徴とする。
【０００９】
請求項２記載の発明は、縦長の室の下部に設けられ、上方に向けて電波を照射してこの室内に位置する無線タグと通信を行う物品情報読取用の電界型アンテナと、前記室の上部に設けられ、下方に向けて電波を照射してこの室内に位置する無線タグと通信を行う物品情報読取用の磁界型アンテナとを具備することを特徴とする。
【発明の効果】
【００１０】
本発明は、室内の物品に付された無線タグの必要な情報を正確に読み取ることができる。
【図面の簡単な説明】
【００１１】
【図１】本発明の一実施の形態であるアンテナ装置を備える試着室を示す斜視図。
【図２】図１のアンテナ装置から放射される電波ビームの放射領域を示す平面図。
【図３】図１のアンテナ装置から放射される電波ビームの放射領域を示す斜視図。
【図４】図１のアンテナ装置を備える物品管理システムを示す構成図。
【発明を実施するための形態】
【００１２】
以下、本発明の実施の形態を図面を参照して詳細に説明する。
【００１３】
図１は、本発明の一実施の形態であるアンテナ装置を備える室としての試着室１を示す斜視図である。
【００１４】
試着室１は縦長のボックス状をなし、アパレルショップなどの売り場に設置される。この試着室１は、通常、例えば、図２、及び図３に示すように隣接する状態で複数配置される。これら試着室１の上部としての天井部には、電界型アンテナ（パッチ等）２が設けられ、下部としての登上台には磁界型アンテナ（コイル型）３が設けられている。
【００１５】
電界型アンテナ２は、下方に向けて電波を照射して試着室１内に位置する後述する無線タグと通信を行もので、磁界型アンテナ３は、上方に向けて電波を照射して試着室１内に位置する後述する無線タグと通信を行うものである。
【００１６】
電界型アンテナ２及び磁界型アンテナ３は、図４に示すようにリーダ・ライタ（ＲＷ）５に接続され、リーダ・ライタ（ＲＷ）５には、無線ＬＡＮを介して管理ＰＣ６、さらに物品管理サーバ７が接続されて物品管理システム８が構成されている。
【００１７】
物品管理サーバ７は、制御部、物品ＤＢ、情報ＤＢ、及び物品管理プログラム（図示しない）を備えている。管理ＰＣ６は、出力部、及び入力部（図示しない）を備え、物品１０の管理処理を行うようになっている。
【００１８】
リーダ・ライタ（ＲＷ）５は、上記した電界型アンテナ２、及び磁界型アンテナ３から電波ビームを出力させて物品１０に付された無線タグ１１から物品情報を読み取るようになっている。
【００１９】
物品管理システム８は、例えば、洋服売り場の管理ＰＣ６に、洋服が試着された回数などを表示して顧客の嗜好性などを分析できるようにするものである。
【００２０】
図２は、上記した電界型アンテナ（パッチ等）２から放射される電波ビームの放射領域ａを示す平面図で、図３は、電界型アンテナ（パッチ等）２から放射される電波ビームの放射領域ａ及び磁界型アンテナ（コイル型）３から放射される電波ビームの放射領域ｂを示す斜視図である。
【００２１】
電界型アンテナ（パッチ等）２から放射される電波ビームの放射領域ａは、中央部が広がり、上下部がしぼむ状態で、垂直方向に沿って長く形成され、磁界型アンテナ（コイル型）３から放射される電波ビームの放射領域ｂは、垂直方向には短かく、水平方向に沿って広く形成される。
【００２２】
上記した構成において、顧客が、売り場で選択した物品（図４に示す）１０を手に持って試着室１内に入ると、電界型アンテナ２から電波ビームが下方に向けて放射されるとともに、磁界型アンテナ３から電波ビームが上方に向けて放射される。この電波ビームの放射により、物品１０の無線タグ１１の情報が読み取られ、この情報の読取回数は、無線ランを介して管理サーバ７の物品ＤＢに格納される。
【００２３】
物品管理サーバ７は、読み取り回数や、読み取り回数に基づくメッセージを、売り場の管理ＰＣ６に出力する。売り場の販売員は、この出力をみて物品の嗜好性などを分析する。
【００２４】
なお、読取回数は、顧客と物品とのミスマッチを早期に発見するために使用されてもよい。例えば、読取回数が高いにもかかわらず物品が購入されない場合は、何らかの問題があると判断して、物品管理サーバ７が管理ＰＣ６に警告を出力する。
【００２５】
上記したように、この実施の形態によれば、試着室１の天井部に電界型アンテナ（パッチ等）２を設け、天井部から下方に向かって垂直に電波ビームを放射するため、試着室１内に持ち込まれた物品１０の無線タグ１１に対し、顧客に遮られることなく電波ビームを放射でき、タグ情報を正確に読み取ることができる。
【００２６】
また、隣接する試着室への電波ビームの漏れも防止でき、隣接する試着室１内に置かれた物品１０に取り付けられた無線タグ１１の情報を読み取って情報を誤読する虞もない。
【００２７】
さらに、試着室１内の登上台部には磁界型アンテナ（コイル型）３を設け、電波ビームを水平方向に広く放射するため、物品１０が足元に置かれた場合でも、そのタグ情報を確実に読み取ることができる。従って、電界型アンテナ（パッチ等）２と磁界型アンテナ（コイル型）３とを同時に使用することにより、電界型アンテナ（パッチ等）２の電波強度を強めることなく、試着室１内の顧客に対し、その頭上から足元まで電波ビームを照射でき、より一層広い範囲でタグ情報を確実に読み取ることができるとともに、隣接する試着室１内に置かれた物品１０に取り付けられた無線タグ１１の情報を読み取って情報を誤読する虞もない。
【００２８】
なお、リーダ・ライタ（ＲＷ）５には、電界型アンテナ２からの出力と磁界型アンテナ３からの出力とを選択的に切換える切換部５ａが設けられている。無線タグ１１の読取時には、この切換部５ａを動作させることにより、電界型アンテナ２、或いは磁界型アンテナ３からのみ出力させて省エネ化を図ることができるようになっている。
【００２９】
また、上記一実施の形態では、試着室１の天井部に下方に向けて電波を照射する電界型アンテナ（パッチ等）２を設け、登上台に上方に向けて電波を照射する磁界型アンテナ（コイル型）３を設けたが、これとは、逆に、試着室１の天井部に下方に向けて電波を照射する磁界型アンテナ（コイル型）３を設け、登上台に上方に向けて電波を照射する電界型アンテナ（パッチ等）２を設けるようにしても良い。
【００３０】
なお、この発明は、上述した実施の形態そのままに限定されるものではなく、実施段階ではその要旨を逸脱しない範囲で構成要素を変形して具体化できる。
【符号の説明】
【００３１】
１…試着室、２…電界型アンテナ、３…磁界型アンテンナ、ａ、ｂ…放射領域。
【先行技術文献】
【特許文献】
【００３２】
【特許文献１】特開２００９−１４０２８０号公報
【図１】
2011155614.tif 000003
【図２】
2011155614.tif 000004
【図３】
2011155614.tif 000005
【図４】
2011155614.tif 000006